【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】
遊技球が始動領域に進入したことに起因して取得した当否乱数値に基づいて大当たりか外れかを判定する判定手段と、該判定結果に対応して大当たり図柄または外れ図柄を決定する図柄決定手段と、画像を表示する画像表示手段と、前記画像表示手段を制御して図柄を変動表示させた後に前記図柄決定手段が決めた大当たり図柄または外れ図柄を確定表示させる表示制御手段と、前記判定結果が大当たりであったことを必須条件として遊技者に有利な特別遊技を実行する特別遊技実行手段とを備える弾球遊技機において、
前記始動領域である特別図柄始動入賞口と、
前記始動領域ではない一般入賞口と、
入球した遊技球を前記特別図柄始動入賞口または一般入賞口に択一的に振り分ける振分手段と
を有する振分入賞装置を備え、
前記振分入賞装置への入賞率を平均１分間に５〜８個とし、
前記図柄の平均変動時間を２０〜５０秒に伸長し、
非特賞時における１分間の賞球数／１分間の発射数×１００として計算されるベースを３０〜６０とした
ことを特徴とする弾球遊技機。
【請求項２】
遊技球が始動領域に進入したことに起因して取得した当否乱数値に基づいて大当たりか外れかを判定する判定手段と、該判定結果に対応して大当たり図柄または外れ図柄を決定する図柄決定手段と、画像を表示する画像表示手段と、前記画像表示手段を制御して図柄を変動表示させた後に前記図柄決定手段が決めた大当たり図柄または外れ図柄を確定表示させる表示制御手段と、前記判定結果が大当たりであったことを必須条件として遊技者に有利な特別遊技を実行する特別遊技実行手段とを備える弾球遊技機において、
始動有効抽選領域に進入した遊技球を検出する抽選対象球検出手段と、
前記抽選対象球検出手段によって検出された遊技球について始動有効抽選を行う始動有効抽選手段と、
該始動有効抽選が当たりであると設定期間だけ期間切替入賞装置の入賞口を前記始動領域として有効にする有効期間切替手段と
を備えたことを特徴とする弾球遊技機。
【請求項３】
遊技球が始動領域に進入したことに起因して取得した当否乱数値に基づいて大当たりか外れかを判定する判定手段と、該判定結果に対応して大当たり図柄または外れ図柄を決定する図柄決定手段と、画像を表示する画像表示手段と、前記画像表示手段を制御して図柄を変動表示させた後に前記図柄決定手段が決めた大当たり図柄または外れ図柄を確定表示させる表示制御手段と、前記判定結果が大当たりであったことを必須条件として遊技者に有利な特別遊技を実行する特別遊技実行手段とを備える弾球遊技機において、
始動有効抽選領域に進入した遊技球を検出する抽選対象球検出手段と、
前記抽選対象球検出手段によって遊技球が検出されると、予め継続時間が定められている作動期間内における有効期間の開始タイミングを乱数抽選によって決定する開始タイミング決定手段と、
該開始タイミング決定手段により前記有効期間の開始タイミングが決定されると前記作動期間を開始し、前記開始タイミング決定手段により決定された開始タイミングから設定期間だけ期間切替入賞装置の入賞口を前記始動領域として有効にする有効期間切替手段と
を備えたことを特徴とする弾球遊技機。
【手続補正２】
【補正対象書類名】明細書
【補正対象項目名】０００５
【補正方法】変更
【補正の内容】
【０００５】
【課題を解決するための手段および発明の効果】
上記課題を解決するための請求項１記載の弾球遊技機は、遊技球が始動領域に進入したことに起因して取得した当否乱数値に基づいて大当たりか外れかを判定する判定手段と、該判定結果に対応して大当たり図柄または外れ図柄を決定する図柄決定手段と、画像を表示する画像表示手段と、前記画像表示手段を制御して図柄を変動表示させた後に前記図柄決定手段が決めた大当たり図柄または外れ図柄を確定表示させる表示制御手段と、前記判定結果が大当たりであったことを必須条件として遊技者に有利な特別遊技を実行する特別遊技実行手段とを備える弾球遊技機において、
前記始動領域である特別図柄始動入賞口と、前記始動領域ではない一般入賞口と、入球した遊技球を前記特別図柄始動入賞口または一般入賞口に択一的に振り分ける振分手段とを有する振分入賞装置を備え、
前記振分入賞装置への入賞率を平均１分間に５〜８個とし、
前記図柄の平均変動時間を２０〜５０秒に伸長し、
非特賞時における１分間の賞球数／１分間の発射数×１００として計算されるベースを３０〜６０とした
ことを特徴とする。
【手続補正３】
【補正対象書類名】明細書
【補正対象項目名】００１３
【補正方法】変更
【補正の内容】
【００１３】
つまり、「図柄の平均変動時間を伸長した」というのは、表１に示す計算例で算出した平均変動時間を長くしたことである。これを伸長したといっても、例えば１０秒が１１秒に伸びた程度では上述のような効果を有効に発揮できない。したがって、明らかに伸長したと言える程度、具体的には２０秒以上である。但し、５０秒以上の伸長は、遊技者に間延び感を与えかねず、本発明の目的である遊技者に不満を感じさせずに演出時間を伸長することが十分に発揮できないおそれがある。従って、図柄の平均変動時間を２０〜５０秒に伸長するのが望ましい。
【手続補正４】
【補正対象書類名】明細書
【補正対象項目名】００１４
【補正方法】変更
【補正の内容】
【００１４】
ここで振分入賞装置への入賞率を平均１分間に５〜８個に設定したのは、これが従来の弾球遊技機における特別図柄の始動入賞口の入賞率と同等であるからである。
【手続補正５】
【補正対象書類名】明細書
【補正対象項目名】００１６
【補正方法】変更
【補正の内容】
【００１６】
振分入賞装置への入賞率を平均１分間に５〜８個、すなわち従来の特別図柄始動口の入賞率と同等であることにより、特別図柄始動回数を減らして平均変動時間を２０〜５０秒に伸長しても、ベースを３０〜６０に確保できる。
【手続補正６】
【補正対象書類名】明細書
【補正対象項目名】００１７
【補正方法】変更
【補正の内容】
【００１７】
請求項２記載の弾球遊技機は、遊技球が始動領域に進入したことに起因して取得した当否乱数値に基づいて大当たりか外れかを判定する判定手段と、該判定結果に対応して大当たり図柄または外れ図柄を決定する図柄決定手段と、画像を表示する画像表示手段と、前記画像表示手段を制御して図柄を変動表示させた後に前記図柄決定手段が決めた大当たり図柄または外れ図柄を確定表示させる表示制御手段と、前記判定結果が大当たりであったことを必須条件として遊技者に有利な特別遊技を実行する特別遊技実行手段とを備える弾球遊技機において、
始動有効抽選領域に進入した遊技球を検出する抽選対象球検出手段と、前記抽選対象球検出手段によって検出された遊技球について始動有効抽選を行う始動有効抽選手段と、該始動有効抽選が当たりであると設定期間だけ期間切替入賞装置の入賞口を前記始動領域として有効にする有効期間切替手段とを備えたことを特徴とする。
【手続補正７】
【補正対象書類名】明細書
【補正対象項目名】００２３
【補正方法】変更
【補正の内容】
【００２３】
期間切替入賞装置の入賞口が始動領域として有効な期間（始動有効期間）であることを報知する手段を設けて、遊技者に始動有効期間を報知するとよい。
請求項３記載の弾球遊技機は、遊技球が始動領域に進入したことに起因して取得した当否乱数値に基づいて大当たりか外れかを判定する判定手段と、該判定結果に対応して大当たり図柄または外れ図柄を決定する図柄決定手段と、画像を表示する画像表示手段と、前記画像表示手段を制御して図柄を変動表示させた後に前記図柄決定手段が決めた大当たり図柄または外れ図柄を確定表示させる表示制御手段と、前記判定結果が大当たりであったことを必須条件として遊技者に有利な特別遊技を実行する特別遊技実行手段とを備える弾球遊技機において、
始動有効抽選領域に進入した遊技球を検出する抽選対象球検出手段と、
前記抽選対象球検出手段によって遊技球が検出されると、予め継続時間が定められている作動期間内における有効期間の開始タイミングを乱数抽選によって決定する開始タイミング決定手段と、
該開始タイミング決定手段により前記有効期間の開始タイミングが決定されると前記作動期間を開始し、前記開始タイミング決定手段により決定された開始タイミングから設定期間だけ期間切替入賞装置の入賞口を前記始動領域として有効にする有効期間切替手段と
を備えたことを特徴とする。
【手続補正８】
【補正対象書類名】明細書
【補正対象項目名】００５２
【補正方法】変更
【補正の内容】
【００５２】
本発明を実際に使用する場合には、振分入賞装置６１への入賞回数を５〜８回／分とし、ベースとしては３０〜６０の間でとなっている。図柄の平均変動時間は２０〜５０秒の間（大当たり確率２４７．５分の１〜９８分の１）で実施するのが望ましい。これは、２０秒以下ならば平均変動時間を伸長した効果が十分に発揮できないおそれがあり、５０秒以上の伸長は、遊技者に間延び感を与えかねず、本発明の目的である遊技者に不満を感じさせずに演出時間を伸長することが十分に発揮できないおそれがあるからである。
【手続補正９】
【補正対象書類名】明細書
【補正対象項目名】００５３
【補正方法】変更
【補正の内容】
【００５３】
ベースとしては３０〜６０の間でとなっている。現在の遊技機もこの間の数値で運用されていることから、単位時間の遊技進行が同じ本発明も同じ数値で行うのが望ましい。
また、振分入賞装置６１への入賞回数を５〜８回／分としたのは、特別図柄始動口に入賞した全ての遊技球を始動の対象とする遊技機の特別図柄始動口への入賞率は、ホールで運用されている数値として概ね５〜８で使用されていることから、単位時間の遊技進行がほぼ同じである本発明遊技機も振分入賞装置６１への入賞回数を５〜８回／分とするのが好適であるからである。